(57)【特許請求の範囲】
【請求項１】
店員が操作を行うＰＯＳ端末装置と顧客が操作を行うセルフＰＯＳ端末装置の両方に使用できるＰＯＳ端末装置であって、
操作者が操作するための第１表示部と、
前記第１表示部の背面側に、該第１表示部の横幅を越えて左右の空間に延在する取付板部と、
前記取付板部の左右のいずれか一方の端部近傍に取り付けられた、決済端末を載置する決済端末載置台と、
前記取付板部の左右の他方の端部近傍に取り付けられた、ハンディスキャナを載置するハンディスキャナ載置台と、
を備え、
前記決済端末載置台は、前記操作者が使用する方向と前記操作者と対向する対向者が使用する方向のいずれの方向にも取り付けられることが可能であり、前記操作者が使用する方向に取り付けられる場合は、前記第１表示部と同一方向に取り付けられ、前記操作者と対向する対向者が使用する方向に取り付けられる場合は、前記第１表示部と逆方向で、かつ、水平方向であって、前記取付板部の該決済端末載置台が取り付けられる側の端部に向かう方向に、角度を付けて取り付けられる、ＰＯＳ端末装置。
【請求項２】
前記決済端末載置台が、前記操作者と対向する対向者が使用する方向に取り付けられる場合は、前記第１表示部よりも小画面の第２表示部が、前記取付板部上の前記決済端末載置台の近傍に、前記取付板部の前記決済端末載置台が取り付けられる側の端部に向かう方向に、角度を付けて取り付けられる、請求項１に記載のＰＯＳ端末装置。
【請求項３】
前記取付板部の一方の端部近傍と他方の端部近傍のいずれにも、前記決済端末載置台と前記ハンディスキャナ載置台とを、取り付けることが可能である、請求項１又は２に記載のＰＯＳ端末装置。
【請求項４】
前記第１表示部は、タッチパネル付きであり、垂直方向及び水平方向に回動可能なヒンジを介して前記取付板部の中央に取り付けられている、請求項１〜３項のいずれか一項に記載のＰＯＳ端末装置。
【請求項５】
前記第１表示部の下方に位置する基台部を更に備え、
前記基台部上の左右のいずれか一方の空間に固定スキャナを配置し、他方の空間にプリンタを配置することが可能であり、
前記固定スキャナは固定スキャナ取付台に取り付けられ、前記プリンタはプリンタ取付台に取り付けられ、前記固定スキャナは、前記基台部の第１係合部と前記固定スキャナ取付台の係合部との係合によって固定され、前記プリンタは、前記基台部の第２係合部と前記プリンタ取付台の係合部との係合とによって固定され、
前記基台部は、正面視で、上面の左側、右側、及び奥側の３方に壁面を有し、
前記第１係合部と前記第２係合部の一組が、前記基台部の中心線の左側の領域と右側の領域のそれぞれに設けられており、前記左側の領域の一組と前記右側の領域の一組とは、前記中心線に対して、左右対称の形状である、請求項１〜４項のいずれか一項に記載のＰＯＳ端末装置。
【請求項６】
前記第１係合部は、前記基台部の上面と奥側壁面とに設けられ、前記第２係合部は、前記基台部の上面に設けられ、前記左側の領域と前記右側の領域のいずれか一方の領域の第２係合部と前記プリンタ取付台の係合部との係合によって前記プリンタが固定された後、他方の領域の第１係合部と前記固定スキャナ取付台の係合部との係合によって前記固定スキャナが固定される、請求項５に記載のＰＯＳ端末装置。
【請求項７】
前記プリンタと前記固定スキャナとが固定された後は、前記プリンタの上下方向と奥行き方向の移動が、前記第２係合部と前記プリンタ取付台の係合部との係合によって規制され、前記固定スキャナの上下方向と奥行き方向の移動が、前記第１係合部と前記固定スキャナ取付台の係合部との係合によって規制され、前記プリンタと前記固定スキャナの左右方向の移動が、前記基台部の左側壁面と右側壁面のいずれか一方の壁面と前記プリンタ取付台の一方の壁面との当接、前記プリンタ取付台の他方の壁面と前記固定スキャナ取付台の一方の側面との当接、及び前記固定スキャナ取付台の他方の側面と前記基台部の左側壁面と右側壁面の他方の壁面との当接によって規制される、請求項６に記載のＰＯＳ端末装置。
【請求項８】
前記プリンタと前記固定スキャナが固定された状態で、前記第１係合部の前記基台部の奥側壁面に設けられた係合部と前記固定スキャナ取付台の係合部との係合が解除された後、前記第１係合部の前記基台部の上面に設けられた係合部と前記固定スキャナ取付台の係合部との係合が解除されると、前記固定スキャナを前記基台部から取り外すことが可能で、前記固定スキャナが前記基台部から取り外されると、前記第２係合部と前記プリンタ取付台の係合部との係合を解除することが可能となる、請求項７に記載のＰＯＳ端末装置。
【発明の詳細な説明】
【技術分野】
【０００１】
本発明はＰＯＳ端末装置に関する。
【背景技術】
【０００２】
近年、スーパーマーケット等の店舗において、店員が操作を行うＰＯＳ（Ｐｏｉｎｔ  Ｏｆ  Ｓａｌｅｓ）端末装置（通常ＰＯＳ端末装置）だけでなく、顧客自身が操作し、商品の会計を行うセルフＰＯＳ端末装置も徐々に普及しはじめている。また、より利便性の向上を図った、店員用のＰＯＳ端末装置と顧客用のセルフＰＯＳ端末装置が一体化された装置も開発されている。
【０００３】
例えば、特許文献１には、筐体と、前記筐体の上面に設けられ、当該筐体の第１側面方向に表示画面が向けられた第１表示部と、前記筐体の上面に設けられ、前記第１側面方向と逆向きの前記筐体の第２側面方向に表示画面が向けられた第２表示部と、前記第１側面方向および前記第２側面方向に直交する前記筐体の第３側面側に設けられ、販売登録の対象となる商品から当該商品を識別可能な識別情報を読み取る読取部と、を備える販売データ処理装置が開示されている。これにより、店員および顧客のいずれの側からも使用することのできる販売データ処理装置が提供されている。
【先行技術文献】
【特許文献】
【０００４】
【特許文献１】特開２０１８−０４５３１８号公報
【発明の概要】
【発明が解決しようとする課題】
【０００５】
しかしながら、特許文献１の販売データ処理装置では、スキャナや非接触カードリーダ等のデバイスの配置を変更することはできない。
【０００６】
本発明の課題は、店員が操作を行うＰＯＳ端末装置と顧客が操作を行うセルフＰＯＳ端末装置の両方に使用でき、デバイスの配置を変更することが可能なＰＯＳ端末装置を提供することにある。
【課題を解決するための手段】
【０００７】
本発明の一態様にかかるＰＯＳ端末装置は、店員が操作を行うＰＯＳ端末装置と顧客が操作を行うセルフＰＯＳ端末装置の両方に使用できるＰＯＳ端末装置であって、
操作者が操作するための第１表示部と、
前記第１表示部の左右のいずれか一方の空間に配置された決済端末と、
他方の空間に配置されたハンディスキャナと、
を備え、
前記決済端末は、前記操作者が使用する方向と前記操作者と対向する対向者が使用する方向のいずれの方向にも配置することが可能である。
【発明の効果】
【０００８】
本発明によれば、店員が操作を行うＰＯＳ端末装置と顧客が操作を行うセルフＰＯＳ端末装置の両方に使用でき、デバイスの配置を変更することが可能なＰＯＳ端末装置を提供することができる。
【図面の簡単な説明】
【０００９】
【図１Ａ】第１の使用形態にかかるＰＯＳ端末装置の正面図である。
【図１Ｂ】第１の使用形態にかかるＰＯＳ端末装置の側面図である。
【図１Ｃ】第１の使用形態にかかるＰＯＳ端末装置の背面図である。
【図２Ａ】第１の使用形態にかかるＰＯＳ端末装置１の正面側からの斜視図である。
【図２Ｂ】第１の使用形態にかかるＰＯＳ端末装置１の背面側からの斜視図である。
【図３Ａ】第２の使用形態であるＰＯＳ端末装置１の正面側からの斜視図である。
【図３Ｂ】第２の使用形態であるＰＯＳ端末装置１の背面側からの斜視図である。
【図４Ａ】第３の使用形態であるＰＯＳ端末装置の正面側からの斜視図である。
【図４Ｂ】第３の使用形態であるＰＯＳ端末装置の背面側からの斜視図である。
【図５Ａ】第４の使用形態であるＰＯＳ端末装置の正面側からの斜視図である。
【図５Ｂ】第４の使用形態であるＰＯＳ端末装置の背面側からの斜視図である。
【図６】本体部の構成を示す斜視図である。
【図７Ａ】図６の本体部の上面図である。
【図７Ｂ】取付板部の両端部近傍の拡大上面図である。
【図８】基台部の上面図である。
【図９】ガンスキャナ載置台の６面図である。
【図１０】決済端末載置台の６面図である。
【図１１】第２表示部の６面図である。
【図１２】プリンタ取付台の６面図である。
【図１３】固定スキャナ取付台の６面図である。
【図１４】基台部へのプリンタの装着の仕方を説明するための図である。
【図１５】基台部への固定スキャナの装着の仕方を説明するための図である。
【図１６】基台部の左側にプリンタを装着し、右側に固定スキャナを装着した状態を示す図である。
【発明を実施するための形態】
【００１０】
実施の形態１
以下、本発明を適用した具体的な実施形態について、図面を参照しながら詳細に説明する。ただし、本発明が以下の実施形態に限定される訳ではない。また、説明を明確にするため、以下の記載および図面は、適宜、簡略化されている。
【００１１】
図１〜図１６を参照して、本発明の実施の形態１にかかるＰＯＳ端末装置について説明する。
図１は、第１の使用形態であるＰＯＳ（Ｐｏｉｎｔ  Ｏｆ  Ｓａｌｅｓ）端末装置の外観を示す図である。図１ＡはＰＯＳ端末装置の正面図、図１Ｂはその側面図、及び図１Ｃはその背面図である。この使用形態は、店員が操作を行う通常ＰＯＳ端末装置である。ＰＯＳ端末装置１は、本体部３０と、複数のデバイスで構成されている。本体部３０は、基台部３１、立設部３２及び取付板部３３を有する。本体部３０の詳細については後述する。
【００１２】
図２Ａは、第１の使用形態にかかるＰＯＳ端末装置１の正面側からの斜視図であり、図２Ｂは、そのＰＯＳ端末装置１の背面側からの斜視図である。図１Ａ及び図２Ａに示すように、正面から見て、中央上部にタッチパネル付き大画面ディスプレイである第１表示部１１が配置され、第１表示部１１の下部左側にプリンタ１２が、第１表示部１１の下部右側に固定スキャナ１３が配置されている。また、図１Ｃ及び図２Ｂに示すように、背面から見て、中央右寄りに小画面のディスプレイである第２表示部２１が、第２表示部２１の左側に、ハンディスキャナのひとつであるガンスキャナ１４が、第２表示部２１の右側に決済端末１５が配置されている。ガンスキャナ１４は、複数の商品が梱包されている箱ごと購入される場合に、箱に付されているバーコードを読み取るために使用される。第２表示部２１と決済端末１５は店員と対向する顧客に向けて配置され、他のデバイスは店員に向けて配置されている。タッチパネル付きディスプレイ（大画面）である第１表示部１１は、図２Ｂに示すように、垂直方向及び水平方向に回動可能で、任意の角度で静止可能なヒンジ４０を介して本体部３０に取り付けられている。第１表示部１１は、操作者用表示部である。第２表示部２１は、本体部３０の取付板部３３に取り付けられている。ガンスキャナ１４と決済端末１５は、本体部３０の取付板部３３に取り付けられた、それぞれの載置台４００，５００に載置される。プリンタ１２と固定スキャナ１３は、それぞれの取付台に取り付けられて、基台部３１に装着される。本体部３０の各デバイスは、ケーブルで本体部の内部に設けられている制御部（図示せず）と接続されている。また、ガンスキャナ１４のケーブル１４１は、途中で図示を省略している。なお、ガンスキャナ以外のハンディスキャナが使用されてもよい。
【００１３】
図３Ａは、第２の使用形態であるＰＯＳ端末装置１の正面側からの斜視図であり、図３Ｂは、ＰＯＳ端末装置１の背面側からの斜視図である。この使用態様は、店員が操作を行う通常ＰＯＳ端末装置である。本使用態様が第１の使用形態と異なる点は、図３Ｂに示すように、背面から見て、中央左寄りに第２表示部２１が、その第２表示部２１の左側に決済端末１５が、その第２表示部２１の右側にガンスキャナ１４が配置されている点である。すなわち、本使用態様のガンスキャナ１４は、第１表示部１１及び第２表示部２１に対して、第１の使用形態にかかるガンスキャナ１４の配置された位置とは反対側に移動して配置されている。同様に、本使用態様にかかる決済端末１５は、第１表示部１１及び第２表示部２１に対して、第１の使用形態にかかる決済端末１５の配置された位置とは反対側に移動して配置されている。更に、本使用態様にかかる第２表示部２１は、図３Ｂに示すように、ＰＯＳ端末装置１の背面から見た場合、本体部３０に対して、第１の使用形態にかかる決済端末１５の配置された右側（カバー３１１に対応する位置）から左側（カバー３１２（図４Ｂ）に対応する位置）に移動して配置されている。
【００１４】
図４Ａは、第３の使用形態であるＰＯＳ端末装置の正面側からの斜視図であり、図４Ｂは、ＰＯＳ端末装置の背面側からの斜視図である。本使用態様は、顧客自身が操作して、商品の会計を行うセルフＰＯＳ端末装置である。本使用態様では、小画面のディスプレイである第２表示部２１は有していない。また、すべてのデバイスが顧客に向けて配置されている。
【００１５】
図５Ａは、第４の使用形態であるＰＯＳ端末装置の正面側からの斜視図であり、図５Ｂは、ＰＯＳ端末装置の背面側からの斜視図である。本使用態様は、顧客自身が操作して商品の会計を行うセルフＰＯＳ端末装置である。本使用態様が第３の使用形態と異なる点は、図５Ａに示すように、プリンタ１２と固定スキャナ１３の配置が逆転している点である。
【００１６】
ＰＯＳ端末装置１は、通常ＰＯＳ端末モードとセルフＰＯＳ端末モードのいずれかで動作する。ＰＯＳ端末装置１は、通常ＰＯＳ端末モードが選択されると、店員が操作を行うＰＯＳ端末装置として動作し、セルフＰＯＳ端末モードが選択されると、顧客自身が操作して商品の会計を行うセルフＰＯＳ端末装置として動作する。モードの選択は、例えば、第１表示部１１に、通常ＰＯＳ端末モードキーとセルフＰＯＳ端末モードキーとが選択可能に表示されて行われる。
【００１７】
以上説明したように、ＰＯＳ端末装置１は、店員又は顧客による使用態様に応じて、必要な複数のデバイスの配置を自由に変更することができ、利便性を向上させることができる。
【００１８】
図６〜図８を参照して、本体部３０の詳細な構成について説明する。
図６は、本体部３０の構成を示す斜視図である。本体部３０は、基台部３１、立設部３２、及び取付板部３３を有する。基台部３１には、プリンタ取付台（図１２参照）を介してプリンタ１２が装着されて、また、固定スキャナ取付台（図１３参照）を介して固定スキャナ１３が装着される。基台部３１には、両側に壁面３０１，３０３、奥側に壁面３０２が設けられている。立設部３２は、略直方体の筐体であり、基台部３１の装着面の後方に立設している。立設部３２の内部には、図示していないが、装置全体を制御する制御部を搭載した制御基板等が内蔵されている。ここで、制御部は、記憶部に格納された各種プログラムに基づいて、各種制御を実行する機能を有し、中央演算処理装置（ＣＰＵ）、読出専用メモリ（ＲＯＭ）、ランダムアクセスメモリ（ＲＡＭ）、入出力ポート（Ｉ／Ｏ）等により実現される。
【００１９】
ＰＯＳ端末装置１に必要な複数のデバイス（例えば、決算端末及びガンスキャナなど）を取り付けるための取付板部３３は、立設部３２の上部から基台部３１側に延在し、左右方向に、立設部３２の横幅を越えて平板状に延びている。取付板部３３の中央には、垂直方向及び水平方向に回動可能なヒンジ４０（図４Ｂ等参照）を介してタッチパネル付き大画面ディスプレイである第１表示部１１が取り付けられる。取付板部３３の第２表示部２１の取付位置には、嵌め込み式のカバー３１１，３１２が取り付けられている。第２表示部２１は、嵌め込み式のカバー３１１，３１２を外して下からネジで取り付ける。また、取付板部３３には、第２表示部２１、ガンスキャナ（ハンディスキャナ）載置台（図９参照）、及び決済端末載置台（図１０参照）が取り付けられる。ガンスキャナ載置台４００にはガンスキャナ１４が、決済端末載置台５００には決済端末１５が載置される。なお、セルフＰＯＳ端末装置として使用する第３の使用形態と第４の使用形態の場合は、第２表示部２１は取り付けられない。
【００２０】
図７Ａは、図６の本体部３０の上面図であり、図７Ｂは取付板部３３の両端部近傍の拡大上面図である。取付板部３３の両端部近傍には、それぞれ、ガンスキャナ載置台４００（図９参照）や決済端末載置台５００（図１０参照）を取り付けるための６つのネジ穴３５１〜３５６と４つの位置決め穴３４１〜３４４とが設けられている。取付板部３３は、図７Ａに示す横方向の中心線Ａ−Ａに対して左右対称の形状である。図７Ｂに示すように第１位置決め穴３４１はガンスキャナ載置台用であり、第２位置決め穴〜第４位置決め穴３４２〜３４４は決済端末載置台用である。第１ネジ穴３５１と第２ネジ穴３５２は、ガンスキャナ載置台４００と決済端末載置台５００の両方の取り付けに用いられる。第３ネジ穴３５３〜第６ネジ穴３５６は、決済端末載置台５００の取り付けに用いられる。
【００２１】
第１位置決め穴３４１、第１ネジ穴３５１及び第２ネジ穴３５２を用いて、ガンスキャナ載置台４００を、第１表示部１１側に向けて取付板部３３に取り付けることができる。第２位置決め穴３４２、第３ネジ穴３５３、及び第４ネジ穴３５４を用いて、決済端末載置台５００を、第１表示部１１の反対側に向けて、水平方向に角度（３０度）を付けて、取付板部３３に取り付けることができる（図１０参照）。決済端末１５を載置する面は、４５度斜め下に傾斜している。第３位置決め穴３４３、第１ネジ穴３５１、及び第２ネジ穴３５２を用いて、決済端末載置台５００を、第１表示部１１側に対応する操作者に向けて、取付板部３３に取り付けることができる。第４位置決め穴３４４、第５ネジ穴３５５、及び第６ネジ穴３５６を用いて、決済端末載置台５００を、第１表示部１１側に向けて、水平方向に角度（３０度）を付けて、取付板部３３に取り付けることができる。
【００２２】
図８は基台部３１の上面図である。基台部３１には、プリンタ１２と固定スキャナ１３を装着するために、２つの略長方形の孔３６１，３６２と４つの略正方形の孔３７１，３７２，３８１，３８２が設けられている。つまり、基台部３１は、左右にプリンタ１２と固定スキャナ１３を並べて装着するための２つに領域に区分され、左側領域には、１つの略長方形の孔３６１と２つの略正方形の孔３７１，３８１が設けられている。右側領域には、１つの略長方形の孔３６２と２つの略正方形の孔３７２，３８２が設けられている。１つの略長方形の孔３６１と２つの略正方形の孔３８１，３７１からなる一組と、１つの略長方形の孔３６２と２つの略正方形の孔３７２，３８２からなる他の一組は、中心線Ｂ−Ｂに対して左右対称の形状である。
【００２３】
また、それぞれの孔には、係合部３６１Ｅ，３６２Ｅ，３７１Ｅ，３７２Ｅ，３８１Ｅ，３８２Ｅが設けられている。４つの略正方形の孔の後方の壁面には、２つのレバー係合部３９１，３９２が設けられている。
【００２４】
図９〜図１１を参照して、取付板部３３に取り付けられる、ガンスキャナ載置台４００、決済端末載置台５００、及び第２表示部２１の構成について説明する。
【００２５】
図９は、ガンスキャナ載置台４００の６面図である。ガンスキャナ載置台４００は、ガンスキャナ載置部４０１と、１つの位置決め凸部４０２と、２つのネジ用孔４１１，４１２とを有する。ガンスキャナ載置台４００は、位置決め凸部４０２を取付板部３３の対応する位置決め穴に嵌め込んだ後、ネジ用孔に挿入したネジで取付板部３３のネジ穴にネジ止めすることによって取付板部３３（図６、図７Ａ等参照）に固定される。なお、ガンスキャナ載置台は、ガンスキャナ以外のハンディスキャナが使用される場合には、ハンディスキャナ載置部と呼ばれる。
【００２６】
図１０は、決済端末載置台５００の６面図である。決済端末載置台５００は、決済端末載置部５０１と、１つの位置決め凸部５０２と、２つのネジ用孔５１１，５１２とを有する。決済端末載置台５００は、位置決め凸部５０２を、取付板部３３の対応する位置決め穴に嵌め込んだ後、ネジ用孔に挿入したネジで取付板部３３のネジ穴にネジ止めすることによって取付板部３３（図６、図７Ａ等参照）に固定される。
【００２７】
図１１は、第２表示部２１の６面図である。第２表示部２１は、底面に、２つの位置決め凸部２１１，２１２と３つのネジ穴２２１，２２２，２２３とを有する。第２表示部２１は、位置決め凸部２１１，２１２を対応する取付板部の位置決め穴（図示せず）に嵌め込んだ後、取付板部のネジ用孔に挿入したネジ（図示せず）でネジ止めして取付板部３３（図６、図７Ａ等参照）に固定される。
【００２８】
図１２及び図１３を参照して、基台部３１に取り付けられる、プリンタ取付台６００及び固定スキャナ取付台７００について説明する。
【００２９】
図１２は、プリンタ取付台の６面図である。プリンタ取付台６００は、第１係合部６０１、第２係合部６０２及び第３係合部６０３を有する。また、プリンタ取付台６００は、両側に壁面６２１，６２２を有する。第２係合部６０２と第３係合部６０３は、横方向の中心線Ｃ−Ｃを境にして、互いに左右対称の形状である。プリンタ１２は、プリンタ取付台のプリンタ固定用ネジ用孔６１１に挿入したネジでネジ止めすることによってプリンタ取付台６００に固定される。
【００３０】
図１３は、固定スキャナ取付台７００の６面図である。固定スキャナ取付台７００は、第１係合部７２１と、第２係合部７２２が設けられた取付用レバー７０１を有する。取付用レバー７０１は弾性を有する。また、固定スキャナ取付台７００は、側面７３１，７３２を有する。固定スキャナ１３の外枠（図示せず）を固定スキャナ取付台７００の２つのネジ穴７１１，７１２にネジ止めして固定した後、固定スキャナ１３本体を外枠に装着することによって、固定スキャナ１３を固定スキャナ取付台７００に取り付ける。
【００３１】
図１４〜図１６を参照して、基台部３１へのプリンタ１２の装着の仕方と基台部３１への固定スキャナ１３の装着の仕方について説明する。プリンタ１２と固定スキャナ１３は、ドライバ等の工具を用いることなく、基台部３１へ装着でき、またそこから取り外すことができる。
【００３２】
まず、図８及び図１４を参照して、基台部３１へのプリンタ１２の装着の仕方を説明する。図１４は、基台部３１へのプリンタ１２の装着の仕方を示すための図である。図１４の上図は、プリンタ１２を基台部３１に装着する前の状態を示す図であり、図１４の下図は、プリンタ１２を基台部３１に装着した後の状態を示す図である。なお、図１４では、プリンタ１２は図示せず、プリンタ取付台６００のみを示している。基台部３１の左側（図６参照）にプリンタ１２を装着する場合について説明する。図１４の上図に示すように、プリンタ１２を取り付けたプリンタ取付台６００の第１係合部６０１を、基台部３１の略長方形の孔３６１（図８）に差し込み、プリンタ取付台６００の第２係合部６０２と第３係合部６０３とが、それぞれ、基台部３１の略正方形の孔３８１，３７１のほぼ中央となるように載置する。プリンタ取付台６００の第１係合部６０１と基台部３１の略長方形の孔３６１の係合部３６１Ｅとが係合する。その後、プリンタ１２を取り付けたプリンタ取付台６００を、左側面が基台部３１の壁面３０３（図６）に突き当たるまで左方向に移動させる。そうすると、図１４の下図に示すように、プリンタ取付台６００の第２係合部６０２及び第３係合部６０３と基台部３１の２つの略正方形の孔３８１，３７１の係合部３８１Ｅ，３７１Ｅとがそれぞれ係合する。プリンタ１２を基台部３１から取り外す場合は、上述した作業の逆の作業を行えばよい。基台部３１の右側（図６参照）にプリンタ１２を装着する場合も、同様の作業を行って、基台部３１への装着と基台部３１からの取り外しを行うことができる。但し、プリンタ１２を取り付けたプリンタ取付台６００を移動させる方向は、右方向である。
【００３３】
図８及び図１５を参照して、基台部３１への固定スキャナ１３の装着の仕方を説明する。図１５は、基台部への固定スキャナの装着の仕方を説明するための図である。図１５の上図は、固定スキャナ取付台７００を基台部３１に装着する前の状態を示す断面図であり、図１５の下図は、装着した後の状態を示す断面図である。また、図１５は、Ｄ−Ｄ線（図１６）の断面図である。固定スキャナ１３は、基台部３１の一方の側にプリンタ１２を装着した後に、基台部３１の他方側に装着する。ここでは、固定スキャナ１３を基台部３１の右側へ装着する場合を説明する。なお、図１５では、固定スキャナ１３は図示せず、固定スキャナ取付台７００のみを示している。固定スキャナ１３を取り付けた固定スキャナ取付台７００の第１係合部７２１を、基台部３１の略長方形の孔３６２（図８）の略中央に差し込み、載置する。固定スキャナ取付台７００の第１係合部７２１と基台部３１の略長方形の孔３６２の係合部３６２Ｅとが係合し、取付用レバー７０１が弾性変形した後、取付用レバー７０１に設けられている第２係合部７２２と基台部３１のレバー係合部３９２（図８）とが係合する。固定スキャナ１３を基台部３１の左側へ装着する場合も、基台部３１の右側へ装着する場合と同じである。固定スキャナ１３を基台部３１から取り外す場合は、取付用レバー７０１を手前側へ倒して、第２係合部７２２と基台部３１のレバー係合部３９２との係合を解除する。その後、固定スキャナ１３の後部を持ち上げながら、固定スキャナ取付台７００の第１係合部７２１を基台部３１の略長方形の孔３６２から抜く。こうすることによって、固定スキャナ１３を基台部３１から取り外すことができる。
【００３４】
図１６は、基台部３１の左側にプリンタ１２を、右側に固定スキャナ１３を装着した状態を示している。なお、図１６では、プリンタ１２と固定スキャナ１３は図示せず、それぞれの取付台のみを示している。プリンタ１２の上下方向と奥行き方向の移動は、プリンタ取付台６００の第１係合部６０１〜第３係合部６０３と、基台部３１の１つの略長方形の孔３６１の係合部３６１Ｅ及び２つの略正方形の孔３８１，３７１の係合部３８１Ｅ，３７１Ｅとの３箇所の係合によって規制される。固定スキャナ１３の上下方向と奥行き方向の移動は、固定スキャナ取付台７００の第１係合部７２１及び第２係合部７２２と、基台部３１の略長方形の孔３６２の係合部３６２Ｅ及びレバー係合部３９２との係合によって規制される。プリンタ１２と固定スキャナ１３の左右方向の移動は、基台部３１の一方の壁面とプリンタ取付台６００の一方の壁面との当接、プリンタ取付台６００の他方の壁面と固定スキャナ取付台の一方の側面との当接、及び固定スキャナ取付台７００の他方の側面と基台部３１の他方の壁面との当接によって規制される。
【００３５】
上述したように、本発明の実施形態にかかるＰＯＳ端末装置は、操作者用表示部である第１表示部１１の左右のいずれか一方の空間に決済端末を配置し、他方の空間にハンディスキャナを配置することが可能で、決済端末を、操作者が使用する方向と操作者の対向者が使用する方向のいずれの方向にも配置することが可能である。
【００３６】
さらに、本発明の実施形態にかかるＰＯＳ端末装置は、操作者用表示部である第１表示部下の左右のいずれか一方の空間に固定スキャナ１３を配置し、他方の空間にプリンタ１２を配置することが可能である。
【００３７】
従って、本発明のＰＯＳ端末装置は、上述した第１の使用形態〜第４の使用形態とすることができ、店員が操作を行うＰＯＳ端末装置と顧客自身が操作して商品の会計を行うセルフＰＯＳ端末装置の両方に使用することができる。また、上述した第１の使用形態〜第４の使用形態に限らず、ユーザの要求に応じて他の使用形態とすることも可能である。
【００３８】
なお、本発明は上記実施の形態に限られたものではなく、趣旨を逸脱しない範囲で適宜変更することが可能である。以上で説明した複数の例は、適宜組み合わせて実施されることもできる。
【符号の説明】
【００３９】
１            ＰＯＳ端末装置
１１            第１表示部
１２            プリンタ
１３            固定スキャナ
１４            ガンスキャナ
１５            決済端末
２１            第２表示部
３０            本体部
３１            基台部
３２            立設部
３３            取付板部
４０            ヒンジ
１４１            ケーブル
２１１，２１２ 位置決め凸部
３０１，３０２，３０３ 壁面
３１１，３１２        カバー
３４１            第１位置決め穴
３４２            第２位置決め穴
３４３            第３位置決め穴
３４４            第４位置決め穴
３５１            第１ネジ穴
３５２            第２ネジ穴
３５３            第３ネジ穴
３５４            第４ネジ穴
３５５            第５ネジ穴
３５６            第６ネジ穴
３６１            略長方形の孔
３６２            略長方形の孔
３７１            略正方形の孔
３７２            略正方形の孔
３８１            略正方形の孔
３８２            略正方形の孔
３６１Ｅ 係合部
３６２Ｅ 係合部
３７１Ｅ 係合部
３７２Ｅ 係合部
３８１Ｅ 係合部
３８２Ｅ 係合部
３９１            レバー係合部
３９２            レバー係合部
４００            ガンスキャナ載置台
４０１            ガンスキャナ載置部
４０２            位置決め凸部
４１１，４１２        ネジ用孔
５００            決済端末載置台
５０１            決済端末載置部
５０２            位置決め凸部
５１１，５１２         ネジ用孔
６００            プリンタ取付台
６０１            第１係合部
６０２            第２係合部
６０３            第３係合部
６１１            プリンタ固定用ネジ用孔
７００            固定スキャナ取付台
７０１            取付用レバー
７２１            第１係合部
７２２            第２係合部
【要約】
【課題】店員が操作を行うＰＯＳ端末装置と顧客が操作を行うセルフＰＯＳ端末装置の両方に使用でき、デバイスの配置を変更することが可能なＰＯＳ端末装置を提供する。
【解決手段】ＰＯＳ端末装置１は、店員が操作を行うＰＯＳ端末装置と顧客が操作を行うセルフＰＯＳ端末装置の両方に使用できるＰＯＳ端末装置であって、操作者が操作するための第１表示部１１と、第１表示部の左右のいずれか一方の空間に配置された決済端末１５と、他方の空間に配置されたハンディスキャナ１４と、を備え、決済端末１５は、操作者が使用する方向と操作者と対向する対向者が使用する方向のいずれの方向にも配置することが可能である。
【選択図】図１Ａ【図１Ａ】
0006683389.tif 000002
【図１Ｂ】
0006683389.tif 000003
【図１Ｃ】
0006683389.tif 000004
【図２Ａ】
0006683389.tif 000005
【図２Ｂ】
0006683389.tif 000006
【図３Ａ】
0006683389.tif 000007
【図３Ｂ】
0006683389.tif 000008
【図４Ａ】
0006683389.tif 000009
【図４Ｂ】
0006683389.tif 000010
【図５Ａ】
0006683389.tif 000011
【図５Ｂ】
0006683389.tif 000012
【図６】
0006683389.tif 000013
【図７Ａ】
0006683389.tif 000014
【図７Ｂ】
0006683389.tif 000015
【図８】
0006683389.tif 000016
【図９】
0006683389.tif 000017
【図１０】
0006683389.tif 000018
【図１１】
0006683389.tif 000019
【図１２】
0006683389.tif 000020
【図１３】
0006683389.tif 000021
【図１４】
0006683389.tif 000022
【図１５】
0006683389.tif 000023
【図１６】
0006683389.tif 000024